(57)【要約】【課題】軽量性、高強度性等の優れた特質を維持しつつ、使用者が簡易に効果的な温感効果を享受できるとともに、それによる強度不足の懸念を生じず、コストアップを最小限にすることができるユニットルーム用床パネルを提供する。【解決手段】洗い場１０を有するユニットルームを構成するユニットルーム用床パネル１である。この床パネル１の洗い場１０は、ＦＲＰ製の基部２１と、基部２１の表面に一体に設けられ、無数の気孔１６ｂ、１６ｃを有して構成された断熱部２２と、断熱部２２の表面に一体に設けられ、薄い部分の厚みが０．１５ｍｍ未満の保護層２３とからなる。【選択図】図２
2005226236.tif 000002
【特許請求の範囲】
【請求項１】
繊維強化プラスチック製の基部と、該基部の表面に一体に設けられ、無数の気孔を有して構成された断熱部とからなることを特徴とするユニットルーム用床パネル。
【請求項２】
繊維強化プラスチック製の基部と、該基部の表面に一体に設けられ、無数の気孔を有して構成された断熱部と、該断熱部の表面に一体に設けられ、薄い部分の厚みが０．１５ｍｍ未満の保護層とからなることを特徴とするユニットルーム用床パネル。
【請求項３】
前記保護層は、表面が粗面化されていることを特徴とする請求項２記載のユニットルーム用床パネル。
【請求項４】
前記保護層は、無数の粒状物質と、各該粒状物質を覆いながら表面に突出させて繋ぎとめるマトリックスとからなることを特徴とする請求項３記載のユニットルーム用床パネル。
【請求項５】
前記保護層はスプレー塗布によって形成されていることを特徴とする請求項２乃至４のいずれか１項記載のユニットルーム用床パネル。
【請求項６】
前記断熱部は強化繊維を含むことを特徴とする請求項１乃至５のいずれか１項記載のユニットルーム用床パネル。
【請求項７】
洗い場を有するユニットルームを構成することを特徴とする請求項１乃至６のいずれか１項記載のユニットルーム用床パネル。
【請求項８】
前記洗い場と浴槽とが一体をなしていることを特徴とする請求項７記載のユニットルーム用床パネル。
【請求項９】
前記洗い場と浴槽とが別体をなしていることを特徴とする請求項７記載のユニットルーム用床パネル。
【請求項１０】
前記洗い場と浴槽を載置する浴槽パンとが一体をなしていることを特徴とする請求項７記載のユニットルーム用床パネル。
【請求項１１】
前記洗い場と浴槽を載置する浴槽パンとが別体をなしていることを特徴とする請求項７記載のユニットルーム用床パネル。
【請求項１２】
前記洗い場は、開閉可能な蓋式のものであることを特徴とする請求項７乃至１１のいずれか１項記載のユニットルーム用床パネル。
【発明の詳細な説明】
【技術分野】
【０００１】
本発明はユニットルーム用床パネルに関する。
【背景技術】
【０００２】
従来、洗い場を有するユニットルームとしてのユニットバスを構成するユニットルーム用床パネルが知られている（非特許文献１）。この床パネルは、繊維強化プラスチック（ＦＲＰ）製の基部と、この基部の表面に一体に設けられた加飾層とからなる。加飾層は、無数のナイロンパウダ等の粒状物質と、基部と一体をなし、各粒状物質を覆いながら表面に突出させて繋ぎとめるアクリルウレタン等のマトリックスとからなる。
【０００３】
この床パネルは、基部がＦＲＰ製であることから、軽量性、高強度性等の優れた特質を発揮する。また、加飾層は床パネルの加飾を行い、その粒状物質は、滑り難い特性を床パネルの表面に付与する。
【０００４】
しかし、従来の床パネルは、冬場にそれが日陰にあり、人がその表面に触れた場合には冷たさを感じやすいという不具合がある。このため、この床パネルに対しては、その洗い場の表面に発泡ポリウレタンフォーム等からなるバスマットを設けることがよく行われている。こうすることにより、バスマットの無数の気孔が熱の移動を阻害するため、冷感を生じ難いという温感効果を生じる。
【０００５】
他方、特許文献１には、ＦＲＰ製の基部と、この基部の表面に一体に設けられ、シラスバルーンを有して構成された保温層と、この保温層の表面に一体に設けられたゲルコート層とからなるＦＲＰ製品が開示されている。このＦＲＰ製品はシラスバルーンが内部に気孔を有し、各気孔が熱の移動を阻害するため、保温効果を発揮すると考えられる。
【０００６】
【非特許文献１】（株）ＩＮＡＸ「住宅設備機器／総合カタログ」（２００３−２００４、２００３年３月発行）第６６３頁
【特許文献１】特開２０００−１６７９４０号公報
【発明の開示】
【発明が解決しようとする課題】
【０００７】
しかし、上記従来の床パネルは、基部がＦＲＰ製であることにより軽量性、高強度性等の優れた特質を発揮するものの、温感効果を得ようとすれば、発泡ポリウレタンフォーム等からなる別体のマットをわざわざ表面に設けなければならず、使用者に面倒な作業を強いてしまう。
【０００８】
他方、上記特許文献１開示のＦＲＰ製品は、ハンドレイアップ（ＨＬＵ）法やスプレーアップ（ＳＰＵ）法で製造されるものであることから、ゲルコート層が必須になっており、しかもそのゲルコート層が０．２〜０．５ｍｍの厚みを有している。このため、このＦＲＰ製品は、表面で温感効果を十分に発揮することができない。
【０００９】
このため、出願人は、特願２００３−３９９９６３号等において、ＦＲＰ製の基部と、この基部の表面に一体に設けられ、無数の気孔を有して構成された断熱部と、断熱部の表面に一体に設けられた保護層とからなる温感部材を提案した。
【００１０】
この温感部材は、人が足裏等で保護層を介して触れる表面の断熱部が無数の気孔を有しており、各気孔が熱の移動を阻害する。このため、この温感部材をユニットルーム用床パネルとすれば、その床パネルは、冬場において人が表面に触れた場合に冷たさをより感じにくく、効果的な温感効果を発揮する。また、この床パネルにおいては、断熱部が一体になっているため、使用者が面倒を感じることなく、温感効果を享受することが可能になる。したがって、この床パネルによれば、軽量性、高強度性等の優れた特質を維持しつつ、使用者が簡易に効果的な温感効果を享受することができる。
【００１１】
また、保護層は汚れが床パネルの表面に付着することを防止することも可能である。特に、断熱部の気孔が表面に開いているとそこに汚れが蓄積するおそれがあるが、保護層はその気孔が表面に開くことを防止する。また、内部に気孔をもつ気孔体を用いている場合、断熱部から露出している気孔体は使用によって割れてしまうこともあり、保護層がその割れを防止することができる。
【００１２】
しかしながら、上記のように断熱部を設けた床パネルは、仮に全体が断熱部を備えた場合には、強度不足の懸念を生じる。また、そのような床パネルは構成の付加によってコストアップが避けられない。
【００１３】
本発明は、上記従来の実情に鑑みてなされたものであって、軽量性、高強度性等の優れた特質を維持しつつ、使用者が簡易に効果的な温感効果を享受できるとともに、それによる強度不足の懸念を生じず、コストアップを最小限にすることができるユニットルーム用床パネルを提供することを解決すべき課題としている。
【課題を解決するための手段】
【００１４】
本発明のユニットルーム用床パネルは、繊維強化プラスチック製の基部と、該基部の表面に一体に設けられ、無数の気孔を有して構成された断熱部とからなることを特徴とする。
【００１５】
発明者らの知見によれば、体感される温感効果は、温感部材の熱伝導率よりもむしろその熱流束（単位時間・単位面積当たりの熱の移動量）と相関関係がある。例えば、医療分野においては、人の感覚は熱流束によって評価されている。
【００１６】
本発明の床パネルは、人が足裏等で直接触れる表面の断熱部が無数の気孔を有しており、各気孔が熱の移動を阻害する。このため、この床パネルでは、冬場に人が表面に触れた場合に冷たさをより感じにくく、効果的な温感効果を発揮する。また、この床パネルはその際に電気やガス等のエネルギーを消費することはないため、ランニングコストも生じない。
【００１７】
また、本発明のユニットルーム用床パネルは、繊維強化プラスチック製の基部と、該基部の表面に一体に設けられ、無数の気孔を有して構成された断熱部と、該断熱部の表面に一体に設けられ、薄い部分の厚みが０．１５ｍｍ未満の保護層とからなることを特徴とする。
【００１８】
本発明の床パネルは、人が足裏等で保護層を介して触れる表面の断熱部が無数の気孔を有しており、各気孔が熱の移動を阻害する。この際、保護層は薄い部分の厚みが０．１５ｍｍ未満であるため、熱流束が小さく、効果的な温感効果を発揮する。
【００１９】
また、これらの床パネルでは、断熱部が一体になっているため、使用者が面倒を感じることなく、温感効果を享受することが可能になる。このため、これらの床パネルによれば、軽量性、高強度性等の優れた特質を維持しつつ、使用者が簡易に効果的な温感効果を享受することができる。
【００２０】
さらに、これらの床パネルは、断熱部を備えているが、湯が満たされて相当の重量が作用する浴槽やそのような浴槽を載置する浴槽パン等の他の部位又は部材は断熱部を備えていない。このため、これらの床パネルは、洗い場以外の部位又は部材によって全体の強度が補われ、強度不足の懸念を生じない。また、これらの床パネルは、洗い場以外の部位や部材が断熱部を備えていないことにより、コストアップを最小限にすることができる。
【００２１】
したがって、これらの床パネルは、軽量性、高強度性等の優れた特質を維持しつつ、使用者が簡易に効果的な温感効果を享受できるとともに、それによる強度不足の懸念を生じず、コストアップを最小限にすることができるのである。
【００２２】
基部は一般的な繊維強化プラスチック（ＦＲＰ）製のものである。
【００２３】
断熱部は、基部の表面に一体に設けられ、無数の気孔を有して構成されている。断熱部は強化繊維を含むことが好ましい。これにより床パネルの強度をより高くすることができる。そして、プレス成形によって床パネルを製造するのであれば、保護層の有無にかかわらず、強化繊維によって床パネルの表面性状が損なわれることはない。
【００２４】
気孔内は、空気等の気体が充満していてもよく、真空であってもよい。気孔内に空気が存在していることが好ましい。気孔内に空気が存在している断熱部は製造が容易であり、製造コストの低廉化を実現できる。
【００２５】
また、気孔は独立気孔であることが好ましい。独立気孔は、表面に開口せずに内部が閉じ込められていることから、大きな温感効果が得られやすい。独立気孔の密度が高い程、温感効果が高くなる。
【００２６】
断熱部の気孔は、無数の気孔体の内部のものを含み得る。気孔体とは、内部に気孔をもつ粒子又は繊維をいう。気孔体の内部の気孔によって断熱部の気孔を確保すれば、断熱部中の気孔体の量によって気孔量を確実に確保することができることから、床パネルの温感効果が安定する。
【００２７】
また、断熱部の気孔は、各気孔体間のものを含み得る。各気孔体が互いの間に気孔を有しておれば、断熱部の気孔率が上がり、床パネルはより優れた温感効果を奏することができる。
【００２８】
気孔体としては、中空粒子、中空繊維及び多孔質粒子の少なくとも１種を採用することができる。すなわち、中空粒子のみを採用する場合と、中空繊維のみを採用する場合と、多孔質粒子のみを採用する場合と、中空粒子及び中空繊維を採用する場合と、中空繊維及び多孔質粒子を採用する場合と、中空粒子及び多孔質粒子を採用する場合と、中空粒子、中空繊維及び多孔質粒子を採用する場合とがある。
【００２９】
中空粒子とは、非吸水性の球状又は略球状の殻内に密閉された中空部をもつ粒子である。中空粒子の中空部によって断熱部の気孔を確保すれば、その気孔は独立気孔となる。中空部内は、空気等の気体が充満していてもよく、真空であってもよい。無機系の中空粒子であってもよく、有機系の中空粒子であってもよい。無機系の中空粒子としては、平均粒径が数１０μｍ程度のガラスバルーン、シリカバルーン、石英ガラスバルーン、フライアッシュ、シラスバルーン、アルミナバルーン等を採用することができる。有機系の中空粒子としては、平均粒径が数１０μｍ程度のウレタンバルーン、フェノールバルーン、ポリアミドバルーン等を採用することができる。
【００３０】
中空繊維とは、非吸水性の筒状の殻内に両端が開放された中空部をもつ繊維である。中空繊維の中空部によって断熱部の気孔を確保しても、その気孔は個々には連続せず、やはり独立気孔となる。中空部内は、空気等の気体が充満していてもよく、真空であってもよい。無機系の中空繊維であってもよく、有機系の中空繊維であってもよい。無機系の中空繊維としては、直径が数１０μｍ程度の中空ガラス繊維、中空シリカ繊維、中空石英ガラス繊維等を採用することができる。有機系の中空繊維としては、直径が数１０μｍ程度の中空ポリエステル繊維、中空アクリル繊維等を採用することができる。
【００３１】
多孔質粒子とは、それ自体が多孔質の材料で構成された粒子である。多孔質によって形成される気孔は、密閉されたものであってもよく、開放されたものであってもよい。無機系の多孔質粒子であってもよく、有機系の多孔質粒子であってもよい。無機系の多孔質粒子としては、微細に発泡したセラミックスの粉砕物、珪藻土、シリカゲル、軽石粉等を採用することができる。有機系の多孔質粒子としては、微細に発泡した樹脂の粉砕物等を採用することができる。
【００３２】
本発明の床パネルでは、断熱部の表面に保護層が一体に設けられている。断熱部の気孔が表面に開いているとそこに汚れが蓄積するおそれがあるが、保護層はその気孔が表面に開くことを防止する。特に、断熱部の無数の気孔を気孔体によって形成している場合にこの効果が大きい。内部に気孔をもつ気孔体を用いている場合、断熱部から露出している気孔体は使用によって割れてしまうこともあり、保護層がその割れを防止することができる。気孔体を含む断熱用塗料を基部の表面に塗布した場合、気孔体が凸状に表面に突出しやすいことから、特にこの効果が顕著である。また、保護層は汚れが床パネルの表面に付着することを防止することも可能である。
【００３３】
保護層は薄い部分の厚みが０．１５ｍｍ未満である。保護層は薄い部分の厚みが０．１５ｍｍを超えると、熱流束が大きく、効果的な温感効果を発揮できない。保護層は薄い部分の厚みが０．１ｍｍ未満であることがより好ましい。
【００３４】
保護層は、表面が粗面化されていることが好ましい。保護層の表面を粗面化すれば、粗面化による凹凸の凹部と人の肌との間に空気が存在しやすく、温感効果が高まる。また、保護層の粗面によって、床パネルを滑り難くすることができる。
【００３５】
保護層の表面を粗面化するためには、保護層は、無数の粒状物質と、各粒状物質を覆いながら表面に突出させて繋ぎとめるマトリックスとからなることができる。
【００３６】
粒状物質は中空ではなく、芯の詰まった中実のものである。これにより床パネルの表面の強度を確保することができる。この粒状物質としては、ナイロン、ウレタン、フェノール等の有機系のものの他、二酸化ケイ素、アルミナ等の無機系のものを採用することができる。粒状物質は、真球状であることが好ましいが、コスト面を考えれば、真球状でないものでもよい。
【００３７】
マトリックスは、断熱部と一体をなし、各粒状物質を覆いながら表面に突出させて繋ぎとめる。マトリックスが各粒状物質を覆っているため、マトリックスが親水性であれば、保護層が親水性になる。
【００３８】
マトリックスとしては、アクリルウレタン、アクリル、ウレタン、エポキシ等の合成樹脂を採用することができる。親水性のマトリックスを採用することが後述の点で好ましい。床パネルの製造方法においては、硬化してマトリックスとなるマトリックス原料を用いる。
【００３９】
断熱部の表面に保護層を一体に設けるためには、基部及び断熱部を成形後、成形体に保護層用の塗料をスプレー等によって塗布する手段、基部及び断熱部とともに保護層用のシートを成形する手段等を採用することができる。保護層は、スプレー塗布によって形成されることにより薄く形成され、好ましいものとなる。保護層用のシートとしては、不織布にアクリルウレタン等の未硬化樹脂を含浸させたものを採用することができる。
【００４０】
本発明の床パネルは、洗い場を有するユニットルームを構成しえる。この場合、洗い場において、本発明の作用効果を奏することができる。ユニットルームとしては、洗い場とともに浴槽を有するユニットバス、洗い場にシャワーだけが設けられたシャワーブース、洗い場に便器だけが設けられたトイレユニット、洗い場に洗面器だけが設けられた洗面ユニット、洗い場、シャワー及び便器が設けられた病院用ユニット、洗い場、洗面器、シャワー及び便器が設けられた病院用ユニット又はホテル用ユニット等を採用することができる。
【００４１】
この床パネルは、洗い場と浴槽とが一体をなしている場合、その洗い場だけが断熱部を備えていることができる。浴槽を含む他の部位は、従来のように断熱部を備えていない構成とすることができるのである。
【００４２】
また、この床パネルは、洗い場と浴槽とが別体をなしている場合、その洗い場だけが断熱部を備えていることもできる。浴槽を含む他の部材は、従来のように断熱部を備えていない構成とすることができるのである。
【００４３】
さらに、この床パネルは、洗い場と浴槽を載置する浴槽パンとが一体をなしている場合、その洗い場だけが断熱部を備えていることもできる。浴槽パン含む他の部位は、従来のように断熱部を備えていない構成とすることができるのである。
【００４４】
また、この床パネルは、洗い場と浴槽を載置する浴槽パンとが別体をなしている場合、その洗い場だけが断熱部を備えていることもできる。浴槽パン含む他の部材は、従来のように断熱部を備えていない構成とすることができるのである。
【００４５】
洗い場は、開閉可能な蓋式のものであってもよい。この種の洗い場は特開２００３−２６８９９５号に開示されている。
【発明を実施するための最良の形態】
【００４６】
以下、本発明を具体化した実施例１〜１０を図面を参照しつつ説明する。
【実施例１】
【００４７】
図１に示すように、実施例１のユニットルーム用床パネル１は、壁パネル２〜４、浴槽５、カウンタ６、シャワー付き水栓７等とともに、ユニットルームとしてのユニットバスを構成している。
【００４８】
床パネル１は、ＳＭＣ製造法、ハンドレイ・スプレーアップ法等によって製造されたものである。この床パネル１は、図２に示すように、繊維強化プラスチック（ＦＲＰ）製の基部２１と、基部２１の洗い場１０に相当する表面に一体に設けられた断熱部２２と、断熱部２２の表面及び基部２１の洗い場１０以外の部分に相当する表面に一体に設けられた保護層２３とからなる。
【００４９】
基部２１の厚みは２ｍｍ以上であり、断熱部２２の厚みは２±０．５ｍｍである。基部２１の厚みを２ｍｍ以上としたのは、断熱部２２及び保護層２３によっても強度が確保される一方、製品の強度を確保するために最低限必要だからである。また、断熱部２２の厚みを２±０．５ｍｍとしたのは、この程度の厚みまで温感効果がリニアに向上する一方、この程度を超えた厚みでは温感効果の向上が鈍化するからである。
【００５０】
断熱部２２では、不飽和ポリエステル樹脂中に中空粒子としての無数のガラスバルーン１６と強化繊維としてのガラス繊維とが分散されている。各ガラスバルーン１６は、最小粒径５μｍ、最大粒径１００μｍ及び平均粒径４０μｍの市販のものである。各ガラスバルーン１６は、非吸水性の球状又は略球状の殻１６ａ内に密閉された中空部１６ｂをもち、中空部１６ｂ内には空気が充満されている。また、各ガラスバルーン１６はプレス成形によって破壊されない耐圧強度を有している。このため、断熱部２２は、各ガラスバルーン１６の中空部１６ｂ及び各ガラスバルーン１６間等に存在する気泡による無数の気孔１６ｂ、１６ｃを有して構成されている。
【００５１】
保護層２３はスプレーによって塗布されている。この保護層２３は、粒状物質としての無数のナイロンパウダ２３ａと、親水性アクリルウレタン塗料が硬化することにより断熱部２２及び基部２１と一体をなし、各ナイロンパウダ２３ａを覆いながら表面に突出させて繋ぎとめるマトリックス２３ｂとからなる。ナイロンパウダ２３ａは必ずしも真球状のものではない。保護層２３の表面はナイロンパウダ２３ａによって粗面化されている。また、保護層２３の粗面によって、床パネル１が滑り難くなっている。マトリックス２３ｂの厚みは、６０〜７０μｍであり、ナイロンパウダ２３ａの平均粒径の５２〜６１％である。また、保護層２３は、９００〜２０００個／ｃｍ2の割合でナイロンパウダ２３ａが突出している。
【００５２】
この床パネル１は、その洗い場１０において、人が足裏等で保護層２３を介して触れる表面の断熱部２２が無数の気孔１６ｂ、１６ｃを有しており、各気孔１６ｂ、１６ｃが熱の移動を阻害する。この際、保護層２３は薄い部分の厚みが０．１５ｍｍ未満であるため、熱流束が小さく、効果的な温感効果を発揮する。また、保護層２３が粗面化されているため、粗面化による凹凸の凹部と人の肌との間に空気が存在しやすい。このため、その洗い場１０は、冬場において人が表面に触れた場合に冷たさをより感じにくく、効果的な温感効果を発揮する。特に、ガラスバルーン１６の気孔１６ｂが独立気孔であるため、この効果が大きい。また、この床パネル１はそれらの際に電気やガス等のエネルギーを消費することはないため、ランニングコストも生じない。
【００５３】
また、この床パネル１においては、断熱部２２が一体になっているため、使用者が面倒を感じることなく、温感効果を享受することが可能になる。このため、この床パネル１によれば、軽量性、高強度性等の優れた特質を維持しつつ、使用者が簡易に効果的な温感効果を享受することができる。
【００５４】
また、この床パネル１は、断熱部２２が強化繊維を含むため、強度がより高まっている。そして、プレス成形によって床パネル１を製造しても、強化繊維によって床パネル１の表面性状は損なわれない。
【００５５】
さらに、この床パネル１では、洗い場１０は断熱部２２を備えているが、湯が満たされて相当の重量が作用する浴槽５は断熱部２２を備えていない。このため、この床パネル１は強度不足の懸念を生じない。また、この床パネル１は、浴槽５が断熱部２２を備えていないため、コストアップを最小限にしている。
【００５６】
したがって、この床パネル１は、軽量性、高強度性等の優れた特質を維持しつつ、使用者が簡易に効果的な温感効果を享受できるとともに、それによる強度不足の懸念を生じず、コストアップを最小限にすることができるのである。
【００５７】
また、この床パネル１では、保護層２３は汚れが床パネル１の表面に付着することを防止することも可能である。特に、断熱部２２の気孔１６ｃが表面に開いているとそこに汚れが蓄積するおそれがあるが、保護層２３はその気孔１６ｃが表面に開くことを防止する。また、断熱部２２から露出しているガラスバルーン１６は使用によって割れてしまうこともあり、保護層２３はその割れを防止することができる。そして、保護層２３のナイロンパウダ２３ａが公称目開き１２５μｍのふるいの網下かつ公称目開き９０μｍのふるいの網上の範囲内のものであるため、上記温感効果を維持できるのである。
【００５８】
さらに、この床パネル１は、マトリックス２３ｂが親水性であるため、表面に残る水が広がりやすく、早期に乾燥することとなる。このため、床パネル１の性能が水によって阻害された状態から早期に回復することができる。
【実施例２】
【００５９】
図３に示すように、実施例２の床パネル１は、壁パネル１２、１３、天井パネル１４、シャワー装置１５等とともに、シャワーブースを構成している。
【００６０】
この床パネル１も、図２に示すように、ＦＲＰ製の基部２１と、基部２１の洗い場１０に相当する表面に一体に設けられた断熱部２２と、断熱部２２の表面及び基部２１の洗い場１０以外の部分に相当する表面に一体に設けられた保護層２３とからなる。他の構成は実施例１と同様である。
【００６１】
この床パネル１においても、実施例１と同様の作用効果を奏することができる。
【実施例３】
【００６２】
図４に示すように、実施例３の床パネル１は、壁パネル４１〜４３、シャワー付き水栓４４、洋風水洗式便器４５、洗面器４６等とともに、病院用ユニットを構成している。床パネル１はシャワー付き水栓４４の下方に洗い場１０を有している。この洗い場１０は他の部位と突起１０ａによって区画されており、図示しないカーテンによって水や湯が飛び散らないようにされている。
【００６３】
この床パネル１の洗い場１０も断熱部２２を有している。他の構成は実施例１と同様である。この床パネル１においても、実施例１と同様の作用効果を奏することができる。
【実施例４】
【００６４】
図５に示すように、実施例４の床パネル１は、壁パネル４７〜４９、浴槽５、シャワー付き水栓５０、洋風水洗式便器５１、カウンター付き洗面器５２等とともに、ホテル用ユニットを構成している。床パネル１は浴槽５内が洗い場１０とされている。この洗い場１０は図示しないカーテンによって水や湯が飛び散らないようにされている。
【００６５】
この床パネル１の洗い場１０も断熱部２２を有している。他の構成は実施例１と同様である。この床パネル１においても、実施例１と同様の作用効果を奏することができる。
【実施例５】
【００６６】
図６に示すように、実施例５の床パネル１は、壁パネル５３〜５６、浴槽５等とともに浴室１７を形成しているとともに、壁パネル５６〜５９、洗面器６０等とともに脱衣室１８を形成し、これら浴室１７及び脱衣室１８によりユニットルームが構成されている。床パネル１は浴室１７内が洗い場１０とされている。
【００６７】
この床パネル１の洗い場１０も断熱部２２を有している。他の構成は実施例１と同様である。この床パネル１においても、実施例１と同様の作用効果を奏することができる。
【実施例６】
【００６８】
図７に示すように、実施例６の床パネル３１では、洗い場１０と浴槽５とが一体をなしている。その洗い場１０だけが実施例１と同様に断熱部２２を備えている。他の構成は実施例１、４又は５と同様である。
【００６９】
この床パネル３１は、浴槽５を含む他の部位に断熱部２２を備えていない。このため、この床パネル３１は、強度不足の懸念を生じず、コストアップを最小限にすることができる。他の作用効果は実施例１、４又は５と同様である。
【実施例７】
【００７０】
図８に示すように、実施例７の床パネル３２では、洗い場１０と浴槽５とが別体をなし、洗い場１０と浴槽５とがエプロン３３によって連結されている。その洗い場１０だけが実施例１と同様に断熱部２２を備えている。他の構成は実施例１、４又は５と同様である。
【００７１】
この床パネル３２は、浴槽５を含む他の部材が断熱部２２を備えていない。このため、この床パネル３２は、強度不足の懸念を生じず、コストアップを最小限にすることができる。他の作用効果は実施例１、４又は５と同様である。
【実施例８】
【００７２】
図９に示すように、実施例８の床パネル３３では、洗い場１０と浴槽５を載置する浴槽パン８とが一体をなしている。その洗い場１０だけが実施例１と同様に断熱部２２を備えている。他の構成は実施例１、４又は５と同様である。
【００７３】
この床パネル３３は、浴槽パン８を含む他の部位が断熱部２２を備えていない。このため、この床パネル３３は、強度不足の懸念を生じず、コストアップを最小限にすることができる。他の作用効果は実施例１、４又は５と同様である。
【実施例９】
【００７４】
図１０に示すように、実施例９の床パネル３４は、洗い場１０と浴槽パン８とが別体をなしている。その洗い場１０だけが実施例１と同様に断熱部２２を備えている。他の構成は実施例１、４又は５と同様である。
【００７５】
この床パネル３４は、浴槽パン８を含む他の部材が断熱部２２を備えていない。このため、この床パネル３４は、強度不足の懸念を生じず、コストアップを最小限にすることができる。他の作用効果は実施例１、４又は５と同様である。
【実施例１０】
【００７６】
図１１に示すように、実施例１０の床パネル３５は開閉可能な蓋式のものであり、この床パネル３５の洗い場１０だけが実施例１と同様に断熱部２２を備えている。他の構成は実施例１、４又は５と同様である。この床パネル３５においても同様の作用効果を奏することができる。
【００７７】
（評価試験１）
上記温感効果を以下の評価試験１により確認した。まず、表１に調合を示す基部用ＳＭＣを得る。なお、充填剤としては、炭酸カルシウムの他、水酸化アルミニウム、フリット粉末等を採用することもできる。また、表１に調合を示す断熱部用ＳＭＣを得る。
【００７８】
【表１】
2005226236.tif 000003
【００７９】
そして、以下の試験例１〜３の床パネルを製造する。試験例１の床パネルは、プレス型のキャビティに複数枚の基部用ＳＭＣのみを設け、プレス成形したものである。
【００８０】
一方、試験例２の床パネルは、プレス型のキャビティにおいて、完成品としての床パネルの表面を構成するように複数枚の断熱部用ＳＭＣを設けた後、それらの断熱部用ＳＭＣ上にさらに複数枚の基部用ＳＭＣを設け、プレス成形したものである。試験例３の床パネルは試験例２の床パネル上に保護液を塗布したものである。
【００８１】
これら試験例１〜３の床パネルの試験片を恒温槽（４０％Ｒｈ）に１２時間以上保持し、各試験片上に熱流束センサ（「VETELL CORPORATION」ＢＦ−０４（２５×２５ｍｍ））を載置する。熱流束センサはアンプ（（有）インタークロス製「intercross-200」）を介してパソコンに接続されている。パソコンにはデータ処理ソフト（（有）インタークロス製「データアクディションシステムintercross-310D」）がインストールされている。
【００８２】
一方、板状の擬似足（５０×５０×２０ｍｍ）を用意する。この擬似足は、シリコーンゴム製型取り用ＲＴＶゴム（信越化学工業（株）製信越シリコーン「ＫＥ−１２」）に硬化剤（信越化学工業（株）製「ＣＡＴ−ＲＭ」）を重量比１００：１で混合し、成形したものである。この擬似足を温度３５．０°Ｃの恒温水によって３３．０±０．３°Ｃまで暖める。
【００８３】
各試験片上の熱流束センサ上に擬似足を載置し、さらに擬似足上に４ｋｇの荷重を載置し、擬似足の温度が０．１秒毎に熱流束（Ｗ／ｍ2）を測定する。
【００８４】
常温の室内において、各試験片を５°Ｃに維持して行った結果を図１２及び図１３に示し、各試験片を２３°Ｃに維持して行った結果を図１４及び図１５に示す。
【００８５】
各試験片を５°Ｃに維持した場合、３３°Ｃの物体との間における熱流束は、図１２及び図１３に示される。通常の床パネルと同様の試験例１の試験片のその熱流束はピークが６５００Ｗ／ｍ2を超えている。また、これら試験例１の試験片のその熱流束の３秒間の積分値は１２０００Ｊ／ｍ2を超えている。
【００８６】
これに対し、実施例１〜１０の床パネルと同様の試験例２、３の試験片のその熱流束はピークが６５００Ｗ／ｍ2以下である。また、これら試験例２、３の試験片のその熱流束の３秒間の積分値は１２０００Ｊ／ｍ2以下である。
【００８７】
また、各試験片を２３°Ｃに維持した場合、３３°Ｃの物体との間における熱流束は、図１４及び図１５に示される。通常の床パネルと同様の試験例１の試験片のその熱流束はピークが３０００Ｗ／ｍ2を超えている。また、これら試験例１の試験片のその熱流束の３秒間の積分値は５０００Ｊ／ｍ2を超えている。
【００８８】
これに対し、実施例１〜１０の床パネルと同様の試験例２、３の試験片のその熱流束はピークが３０００Ｗ／ｍ2以下である。また、これら試験例２、３の試験片のその熱流束の３秒間の積分値は５０００Ｊ／ｍ2以下である。
【００８９】
したがって、試験例２、３の試験片は、試験例１の試験片よりも、熱流束が小さく、十分な温感効果を発揮していることがわかる。このため、試験例２、３の試験片と同様の床パネルは、足裏から奪われる熱が少なく、光熱費を生じることなく、浴室に入った時の冷たさを緩和することがわかる。
【００９０】
（評価試験２）
評価試験１で製造した試験例１及び試験例３の試験片を用意し、両試験片を５°Ｃに維持した後、被験者の左足を試験例３の試験片、右足を試験例１の試験片に１５秒間接する。この時の両足裏の温度分布をサーモグラフで測定した。被験者は成人である。
【００９１】
この結果、右足の試験片に接した部分は２２°Ｃ、左足のその部分は２４°Ｃであった。つまり、１５秒後には、両足裏に２°Ｃの温度差が生じた。
【００９２】
また、被験者の足裏の皮膚の低下温度の経時変化を比較した。結果を図１６に示す。図１６に示すように、試験例３の試験片は、試験例１の試験片よりも、足裏の皮膚温度低下が緩やかであり、時間が長い程、試験例３の試験片と試験例１の試験片とで皮膚温度に開きを生じることがわかる。そして、試験例３の試験片は、試験例１の試験片よりも、足裏から逃げる熱を約２５％低減できることがわかる。
【００９３】
（評価試験３）
評価試験１で製造した試験例１及び試験例３の試験片を用意し、両試験片を５°Ｃに維持した後、被験者の血圧変動を比較した。被験者は６５歳以上の８人の成人である。８人の平均を図１７に示す。
【００９４】
図１７に示すように、接した直後の血圧上昇は、試験例３の試験片では２５ｍｍＨｇであったのに対し、試験例１の試験片では３５ｍｍＨｇであり、試験例３の試験片は、試験例１の試験片に比べ、１０ｍｍＨｇ血圧上昇が低く、約３０％血圧上昇を低減できることがわかる。このため、試験例３の試験片と同様の床パネルによれば、高齢者の血圧変動を低減でき、より快適な入浴を実現することができる。
【産業上の利用可能性】
【００９５】
本発明はユニットバス等のユニットルームに利用可能である。
【図面の簡単な説明】
【００９６】
【図１】実施例１のユニットバスを示す斜視図である。
【図２】実施例１のユニットルーム用床パネルの要部拡大模式断面図である。
【図３】実施例２のシャワーブースを示す斜視図である。
【図４】実施例３の病院用ユニットを示す斜視図である。
【図５】実施例４のホテル用ユニットを示す斜視図である。
【図６】実施例５のユニットルームを示す斜視図である。
【図７】実施例６のユニットルームの一部を示す斜視図である。
【図８】実施例７のユニットルームの一部を示す斜視図である。
【図９】実施例８のユニットルームの一部を示す斜視図である。
【図１０】実施例９のユニットルームの一部を示す斜視図である。
【図１１】実施例１０のユニットルームの一部を示す斜視図である。
【図１２】評価試験１において、各試験片を５°Ｃに維持して行った場合、熱流束の平均値における経時変化を示すグラフである。
【図１３】評価試験１において、各試験片を５°Ｃに維持して行った場合、３秒後の積分値の平均値を示すグラフである。
【図１４】評価試験１において、各試験片を２３°Ｃに維持して行った場合、熱流束の平均値における経時変化を示すグラフである。
【図１５】評価試験１において、各試験片を２３°Ｃに維持して行った場合、３秒後の積分値の平均値を示すグラフである。
【図１６】評価試験２において、試験例１及び試験例３の試験片を５°Ｃに維持して行った場合、足裏の皮膚の低下温度の経時変化を示すグラフである。
【図１７】評価試験３において、試験例１及び試験例３の試験片を５°Ｃに維持して行った場合、血圧変動を示すグラフである。
【符号の説明】
【００９７】
１０…洗い場
１、３１〜３５…ユニットルーム用床パネル
２１…基部
１６ｂ、１６ｃ…気孔
２２…断熱部
２３…保護層
２３ａ…粒状物質
２３ｂ…マトリックス
５…浴槽
８…浴槽パン
【図１】
2005226236.tif 000004
【図２】
2005226236.tif 000005
【図３】
2005226236.tif 000006
【図４】
2005226236.tif 000007
【図５】
2005226236.tif 000008
【図６】
2005226236.tif 000009
【図７】
2005226236.tif 000010
【図８】
2005226236.tif 000011
【図９】
2005226236.tif 000012
【図１０】
2005226236.tif 000013
【図１１】
2005226236.tif 000014
【図１２】
2005226236.tif 000015
【図１３】
2005226236.tif 000016
【図１４】
2005226236.tif 000017
【図１５】
2005226236.tif 000018
【図１６】
2005226236.tif 000019
【図１７】
2005226236.tif 000020